(57)【要約】【課題】透明なガラス板に、不透明な発光部又は受光部が設けられると、太陽光を遮ってしまった。【解決手段】透明ガラス板と、前記透明ガラス板に向けて電磁波を放射する放射部と、前記透明ガラス板内に設けられており、前記電磁波を受信する透明アンテナ部と、前記透明アンテナ部により受信された電磁波の強度を検出することにより、前記放射部及び前記透明アンテナ部間に物体が存在するか否かを判断する判断部と、を含む。【選択図】図１
2010032288.tif 000002
【特許請求の範囲】
【請求項１】
透明ガラス板と、
前記透明ガラス板に向けて電磁波を放射する放射部と、
前記透明ガラス板内に設けられており、前記電磁波を受信する透明アンテナ部と、
前記透明アンテナ部により受信された電磁波の強度を検出することにより、前記放射部及び前記透明アンテナ部間に物体が存在するか否かを判断する判断部と、を含むことを特徴とする物体検出装置。
【請求項２】
請求項１に記載の物体検出装置において、
前記透明アンテナ部は、ループアンテナであることを特徴とする物体検出装置。
【請求項３】
透明ガラス板と、
前記透明ガラス板に向けて電磁波を放射する放射部と、
前記透明ガラス板内に設けられており、前記電磁波を受信する透明アンテナ部と、
前記透明アンテナ部により受信された電磁波の強度を検出することにより、前記放射部及び前記透明アンテナ部間に物体が存在するか否かを判断する判断部と、
前記透明ガラス板内に設けられている複数の表示素子と、
前記判断部が前記物体が存在すると判断するとき、前記複数の表示素子に、前記物体に関連する内容を表示させる駆動部と、を含むことを特徴とする表示装置。
【請求項４】
請求項３に記載の表示装置において、
前記透明アンテナ部は、ループアンテナであることを特徴とする表示装置。
【請求項５】
請求項３乃至４のいずれかに記載の表示装置において、
前記物体に関連する内容が記憶された記憶部を更に備えることを特徴とする表示装置。
【発明の詳細な説明】
【技術分野】
【０００１】
本発明は、物体の有無を検出する物体検出装置、及び、当該検出の機能を備え、かつ、検出の結果に従って表示又は非表示を行う機能を備えた表示装置に関する。
【背景技術】
【０００２】
従来の物体検出装置では、下記の特許文献１に記載されているように、発光部が光を放射し、受光部が、対象物（物体）により反射された光を受けることにより、前記対象物の有無を検出する。
【０００３】
【特許文献１】特開２００５−２６５５４９号公報
【発明の開示】
【発明が解決しようとする課題】
【０００４】
しかしながら、従来の物体検出装置における前記発光部及び前記受光部は、不透明である。従って、例えば、ビルや住居の窓ガラスとして用いられる透明なガラス板に、当該発光部又は当該受光部が設けられると、その設けられた領域は、太陽光を遮ってしまい、前記ビル及び住居内の居室内を暗くしてしまうという問題があった。
【課題を解決するための手段】
【０００５】
本発明は、上記した課題を解決すべく、以下の適用例により実現される。
【０００６】
［適用例１］
本適用例にかかる物体検出装置は、透明ガラス板と、前記透明ガラス板に向けて電磁波を放射する放射部と、前記透明ガラス板内に設けられており、前記電磁波を受信する透明アンテナ部と、前記透明アンテナ部により受信された電磁波の強度を検出することにより、前記放射部及び前記透明アンテナ部間に物体が存在するか否かを判断する判断部と、を含むことを特徴とする。
【０００７】
［適用例２］
上記適用例にかかる物体検出装置において、前記透明アンテナ部は、ループアンテナであっても良い。
【０００８】
［適用例３］
本適用例にかかる表示装置において、透明ガラス板と、前記透明ガラス板に向けて電磁波を放射する放射部と、前記透明ガラス板内に設けられており、前記電磁波を受信する透明アンテナ部と、前記透明アンテナ部により受信された電磁波の強度を検出することにより、前記放射部及び前記透明アンテナ部間に物体が存在するか否かを判断する判断部と、前記透明ガラス板内に設けられている複数の表示素子と、前記判断部が前記物体が存在すると判断するとき、前記複数の表示素子に、前記物体に関連する内容を表示させる駆動部と、を含むことを特徴とする。
【０００９】
［適用例４］
上記適用例にかかる表示装置において、前記透明アンテナ部は、ループアンテナであっても良い。
【００１０】
［適用例５］
上記適用例にかかる表示装置において、前記物体に関連する内容が記憶された記憶部を更に備えても良い。
【発明を実施するための最良の形態】
【００１１】
〈構成〉
実施例の表示装置について図面を参照して説明する。
【００１２】
図１は、実施例の表示装置の構成を示し、図２は、実施例の表示装置が設置されている場所を示す。
【００１３】
実施例の表示装置ＤＶは、図１に示されるように、ガラス板Ｇと、アンテナ部Ａと、ｎ個（ｎは２以上の任意の整数）の表示素子Ｅ１〜Ｅｎと、判断部Ｊと、駆動部Ｄと、記憶部Ｓと、放射部Ｔと、を含む。ここで、ガラス板Ｇ、アンテナ部Ａ、判断部Ｊ、及び放射部Ｔは、物体検出装置を構成する。
【００１４】
ガラス板Ｇは、採光、即ち、太陽光の取り入れを効率良く行うべく透明であり、図２に示されるように、ビルＢＬの出入口扉ＤＲ（例えば、引き戸型の自動扉）の扉ガラスとして用いられている。また、ガラス板Ｇには、図１に示されるように、アンテナ部Ａ、判断部Ｊ、駆動部Ｄ、記憶部Ｓ、及び表示素子Ｅ１〜Ｅｎが設けられている。
【００１５】
図３は、ガラス板の構造を示す。ガラス板Ｇは、図３に示されるように、重ね合わされている第１のガラス板部Ｇ１と、第２のガラス板部Ｇ２とからなる。
【００１６】
図４は、第１のガラス板部の構造を示す。アンテナ部Ａ（図１に図示）は、前記放射部Ｔから放射される電磁波Ｍを受信すべく、図４に示されるように、例えば、第１のループアンテナＡ１と、第２のループアンテナＡ２からなる。第１のループアンテナＡ１は、第１のガラス板部Ｇ１の一方のガラス板部Ｇ１ａ内に設けられており、また、第２のループアンテナＡ２は、第１のガラス板部Ｇ１の他方のガラス板部Ｇ１ｂ内に設けられている。
【００１７】
図５は、第２のガラス板部の構造を示す。複数の表示素子Ｅ１〜Ｅｎは、それぞれ、例えば、透明なＴＦＴ（Ｔｈｉｎ  Ｆｉｌｍ  Ｔｒａｎｓｉｓｔｏｒ）素子等からなり、図５に示されるように、第２のガラス板部Ｇ２を構成する一方のガラス板部Ｇ２ａ及び他方のガラス板部Ｇ２ｂ全体に亘って設けられている。
【００１８】
図１に戻り、判断部Ｊは、例えば、ＣＰＵを用いたデジタル回路、及び、オペアンプ等を用いたアナログ回路からなり、アンテナ部Ａから、当該アンテナ部Ａが受信した電磁波Ｍの入力を受ける。判断部Ｊは、当該アンテナ部Ａが受信した電磁波Ｍの強度が、予め定められた閾値ｔｈ（例えば、電磁波Ｍが何らの物体（人体）によって遮られていないときに受信する電磁波Ｍの強度（１００％）に対し、８０〜９０％に相当する閾値ｔｈ）より大きいか小さいかを判断し、当該判断の結果を示す信号ｓｇ１を駆動部Ｄに出力する。
【００１９】
駆動部Ｄは、判断部Ｊから前記信号ｓｇ１の入力を受け、当該信号ｓｇ１に従って、表示素子Ｅ１〜Ｅｎへ出力する信号ｓｇ２により、表示素子Ｅ１〜Ｅｎを駆動し、又は駆動しない。より具体的には、駆動部Ｄは、前記信号ｓｇ１が、前記受信した電磁波Ｍの強度が、前記閾値ｔｈより大きいことを示すとき、換言すれば、出入口扉ＤＲの近傍に物体がないであろうことを示すとき、駆動部Ｄは、表示素子Ｅ１〜Ｅｎに何ら表示をさせない。
【００２０】
対照的に、前記信号ｓｇ１が、前記受信した電磁波Ｍの強度が、前記閾値ｔｈより小さいことを示すとき、換言すれば、出入口扉ＤＲの近傍に物体（例えば、通行人ＰＳ（図７に図示。））がいるであろうことを示すとき、駆動部Ｄは、表示素子Ｅ１〜Ｅｎに、記憶部Ｓに記憶されている画像データｉｍの内容（例えば、「足元が滑り易いです。お気を付け願います。」の文章。）を表示させる。
【００２１】
記憶部Ｓは、例えば、ＲＯＭ等の不揮発性メモリからなり、例えば、「足元が滑り易いです。お気を付け願います。」という文章のような、通行人ＰＳに関連する内容を示すデータを予め記憶している。
【００２２】
図６は、放射部の動作を示す。放射部Ｔは、例えば、ＦＥＴ（Ｆｉｅｌｄ  Ｅｆｆｅｃｔ  Ｔｒａｎｓｉｓｔｏｒ）及びＨＥＭＴ（Ｈｉｇｈ  Ｅｌｅｃｔｒｏｎ  Ｍｏｂｉｌｉｔｙ  Ｔｒａｎｓｉｓｔｏｒ）等からなり、図２に示されるように、ビルＢＬの出入口扉ＤＲの前方に位置する道路（例えば、当該ビルＢＬの私道）に設けられており、当該出入口扉ＤＲに向けて、図６に示されるように、電磁波Ｍを放射する。
【００２３】
〈動作〉
図７〜図１２は、実施例の表示装置の動作を示す。以下、実施例の表示装置の動作を図７〜図１２を参照して説明する。
【００２４】
図７に示されるように、通行人ＰＳが出入口扉ＤＲに近付いて歩行している場合であって、通行人ＰＳがまだ出入口扉ＤＲの近傍に来ていないとき、換言すれば、当該通行人ＰＳが、放射部Ｔから出入口扉ＤＲへ向けて放射される電磁波Ｍを遮っていないとき、アンテナ部Ａが受信した電磁波Ｍの強度が閾値ｔｈより大きい。これにより、判断部Ｊは、出入口扉ＤＲの近傍に何人もいないであろうと判断し、当該判断の結果を示す信号ｓｇ１を駆動部Ｄへ出力する。駆動部Ｄは、前記信号ｓｇ１の入力を受けると、表示素子Ｅ１〜Ｅｎに何らの表示も行わせない。
【００２５】
上記したとは反対に、図８に示されるように、通行人ＰＳが、出入口扉ＤＲの近傍、即ち、出入口扉ＤＲの真ん前を通過し始めると、放射部Ｔから放射される電磁波Ｍの一部が当該通行人ＰＳによって遮られ、アンテナ部Ａが受信した電磁波Ｍの強度が閾値ｔｈより小さくなる。これにより、判断部Ｊは、出入口扉ＤＲの近傍に前記通行人ＰＳがいるであろうと判断し、当該判断の結果を示す信号ｓｇ１を駆動部Ｄへ出力する。
【００２６】
駆動部Ｄは、前記信号ｓｇ１の入力を受けると、図９に示されるように、表示素子Ｅ１〜Ｅｎに、記憶部Ｓに記憶されている画像データｉｍ、即ち、「足元が滑り易いです。お気を付け願います。」の文章の表示を開始させる。以後、図１０及び図１１に示されるように、通行人ＰＳが出入口扉ＤＲの真ん前を歩行し続けている間、電磁波Ｍが閾値ｔｈより小さいことから、判断部Ｊは、アンテナ部Ａが受信した電磁波Ｍの強度が閾値ｔｈより小さいことを示す信号ｓｇ１を駆動部Ｄに出力し続け、駆動部Ｄは、表示素子Ｅ１〜Ｅｎに前記文章を表示させ続ける。
【００２７】
図１２に示されるように、通行人ＰＳが、出入口扉ＤＲの真ん前を通過すると、放射部Ｔから出入口扉ＤＲに向けて放射される電磁波Ｍは全く遮られなくなり、その結果、アンテナ部Ａが受信した電磁波Ｍの強度が前記閾値ｔｈよりも再び大きくなることから、判断部Ｊは、出入口扉ＤＲの近傍に何人もいないであろうと再び判断し、当該判断の結果を示す信号ｓｇ１を駆動部Ｄへ出力する。駆動部Ｄは、前記信号ｓｇ１の入力を受けると、表示素子Ｅ１〜Ｅｎに再び何らの表示も行わせない。
【００２８】
〈効果〉
上述したように、実施例の物体検出装置では、放射部Ｔが、電磁波Ｍを、出入口扉ＤＲを構成する透明なガラス板Ｇに向けて放射し、当該透明なガラス板Ｇ内に設けられている透明なアンテナ部Ａが、前記電磁波Ｍを受信し、判断部Ｊは、前記電磁波Ｍの強度が所定の閾値ｔｈより大きいか否かに基づき、出入口扉ＤＲの近傍に通行人ＰＳが存在するか否かを判断し、即ち、物体の有無を検出する。要約すれば、アンテナ部Ａが透明であることから、従来と異なり、前記物体の検出を、外部からの採光を遮ることなく行うことができ、ビルＢＬ内の居室が暗くなるという事態を回避することが可能となる。
【００２９】
また、実施例の表示装置ＤＶでは、前記透明なガラス板Ｇに透明な複数の表示素子Ｅ１〜Ｅｎが設けられており、前記判断部Ｊが、前記通行人ＰＳが存在することを検出すると、駆動部Ｄが、当該通行人ＰＳに関連する文章「足元が滑り易いです。お気を付け願います。」という文章を前記透明な複数の表示素子Ｅ１〜Ｅｎに表示させる。これにより、当該表示を行わないときにおける、前記外部からの採光が、例えば、不透明な表示素子によって遮られてしまうという事態を回避することが可能となる。
【図面の簡単な説明】
【００３０】
【図１】実施例の表示装置の構成を示す。
【図２】実施例の表示装置が設置されている場所を示す。
【図３】実施例のガラス板の構造を示す。
【図４】実施例の第１のガラス板部の構造を示す。
【図５】実施例の第２のガラス板部の構造を示す。
【図６】実施例の放射部の動作を示す。
【図７】実施例の表示装置の動作を示す（その１）。
【図８】実施例の表示装置の動作を示す（その２）。
【図９】実施例の表示装置の動作を示す（その３）。
【図１０】実施例の表示装置の動作を示す（その４）。
【図１１】実施例の表示装置の動作を示す（その５）。
【図１２】実施例の表示装置の動作を示す（その６）。
【符号の説明】
【００３１】
ＤＶ…表示装置、Ｔ…放射部、Ｇ…ガラス板、Ａ…アンテナ部、Ｊ…判断部、Ｄ…駆動部、Ｓ…記憶部、Ｅ１〜Ｅｎ…表示素子。
【図１】
2010032288.tif 000003
【図２】
2010032288.tif 000004
【図３】
2010032288.tif 000005
【図４】
2010032288.tif 000006
【図５】
2010032288.tif 000007
【図６】
2010032288.tif 000008
【図７】
2010032288.tif 000009
【図８】
2010032288.tif 000010
【図９】
2010032288.tif 000011
【図１０】
2010032288.tif 000012
【図１１】
2010032288.tif 000013
【図１２】
2010032288.tif 000014